(57)【要約】【課題】  通信資源を効率的利用すること。【解決手段】  複数の移動局装置３０に、複数の周波数キャリアのうちのいずれか少なくとも１つを割り当てることにより、各移動局装置と、該移動局装置に割り当てられた周波数キャリアを使用して通信可能に構成される基地局装置１０において、前記各移動局装置３０について、周波数キャリアごとの通信データ量を示すコストを算出するコスト算出部６６と、前記各周波数キャリアそれぞれについての前記コストの合計に基づき、前記各移動局装置３０に割り当てる周波数キャリアを制御する周波数キャリア割当部６４と、を含むことを特徴とする。【選択図】図３
2006333008.tif 000002
【特許請求の範囲】
【請求項１】
複数の移動局装置に、複数の周波数キャリアのうちのいずれか少なくとも１つを割り当てることにより、各移動局装置と、該移動局装置に割り当てられた周波数キャリアを使用して通信可能に構成される基地局装置において、
前記各移動局装置について、周波数キャリアごとの通信データ量を示す通信データ評価値を算出する算出手段と、
前記各周波数キャリアそれぞれについての前記通信データ評価値の合計に基づき、前記各移動局装置に割り当てる周波数キャリアを制御する周波数キャリア割当制御手段と、
を含むことを特徴とする基地局装置。
【請求項２】
請求項１に記載の基地局装置において、
前記通信データ評価値は、通信データ量の所定時間ごとの累計に基づく値である、
ことを特徴とする基地局装置。
【請求項３】
請求項１又は２に記載の基地局装置において、
前記周波数キャリア割当制御手段は、前記各周波数キャリアそれぞれについての前記通信データ評価値の合計の差が小さくなるよう、前記各移動局装置に割り当てる周波数キャリアを制御する、
ことを特徴とする基地局装置。
【請求項４】
請求項１乃至３のいずれかに記載の基地局装置において、
前記算出手段により算出された通信データ評価値に基づき、前記各移動局装置をランク付けするランク付け手段、
をさらに含み、
前記周波数キャリア割当制御手段は、前記各移動局装置にそれぞれ付けられたランクに基づき、該各移動局装置に割り当てる周波数キャリアを制御する、
ことを特徴とする基地局装置。
【請求項５】
請求項４に記載の基地局装置において、
前記周波数キャリア割当制御手段は、前記各移動局装置のうち、前記ランク付け手段によって付けられたランクの高い順に、優先的に周波数キャリアを割り当てるよう、前記各移動局装置に割り当てる周波数キャリアを制御する、
ことを特徴とする基地局装置。
【請求項６】
請求項４又は５に記載の基地局装置において、
前記ランク付け手段は、ランク付けした移動局装置であって、所定時間にわたり通信データ量のない移動局装置について、ランク付けを削除する、
ことを特徴とする基地局装置。
【請求項７】
複数の移動局装置に、複数の周波数キャリアのうちのいずれか少なくとも１つを割り当てることにより、各周波数キャリアを使用して各移動局装置と通信可能に構成される基地局装置において、各移動局装置に割り当てる周波数キャリアを制御するための周波数キャリア割当制御方法であって、
前記各移動局装置について、周波数キャリアごとの通信データ量を示す通信データ評価値を算出する算出ステップと、
前記各周波数キャリアそれぞれについての前記通信データ評価値の合計に基づき、前記各移動局装置に割り当てる周波数キャリアを制御する周波数キャリア割当制御ステップと、
を含むことを特徴とする周波数キャリア割当制御方法。
【請求項８】
複数の移動局装置に、複数の周波数キャリアのうちのいずれか少なくとも１つを割り当てることにより、各周波数キャリアを使用して各移動局装置と通信可能に構成される基地局装置において使用されるプログラムであって、
前記各移動局装置について、周波数キャリアごとの通信データ量を示す通信データ評価値を算出する算出手段、及び
前記各周波数キャリアそれぞれについての前記通信データ評価値の合計に基づき、前記各移動局装置に割り当てる周波数キャリアを制御する周波数キャリア割当制御手段、
としてコンピュータを機能させることを特徴とするプログラム。
【発明の詳細な説明】
【技術分野】
【０００１】
本発明は基地局装置、周波数キャリア割当制御方法、及びプログラムに関する。
【背景技術】
【０００２】
近年のデータ通信には無線通信システムが利用されることが多くなっている。ここでいう無線通信システムは、複数の移動局装置と少なくとも１つの基地局装置とを含み、１つの基地局装置が、複数の移動局装置と同時通信できるよう構成されるシステムである。また、各基地局装置は複数の周波数キャリアを同時に使用して通信できるように構成されており、上記複数の移動局装置に、上記複数の周波数キャリアのうちのいずれか少なくとも１つを割り当てることにより、各周波数キャリアを使用して各移動局装置と通信を行う。そして各移動局装置は、割り当てられた周波数キャリアを、同じ周波数キャリアを割り当てられた他の移動局装置と時分割多重により共用する。
【０００３】
ところで、データ通信では、通常送受信されるデータ量は常に変動する。ある時点では多量のデータを送受信するが、他の時点では全く送受信するデータがないという場合もありうる。このように送受信されるデータ量が変動するので、効率的に通信資源（周波数やタイムスロットなど）を利用するため、移動局装置又は基地局装置は、送信すべきデータがある場合にタイムスロットを取得し、該取得したタイムスロットにおいてデータを送信するようにしている。
【０００４】
なお、特許文献１には、端末に優先順位を付け、優先順位の低い端末に割り当てる帯域幅を低減することに関する技術が記載されている。
【特許文献１】特開２００１−３１３６４７号公報
【発明の開示】
【発明が解決しようとする課題】
【０００５】
しかしながら、上記従来の無線通信システムでは、各移動局装置は一旦割り当てられた周波数キャリアで常に通信を行っていたので、周波数キャリアごとの通信データ量が不均一になる場合があった。すなわち、ある周波数キャリアでは通信データが輻輳しているにも関わらず、他の周波数キャリアではほとんどデータの送受信が行われていない、といった状況が生ずる場合があり、通信資源の効率的利用の面で問題があった。
【０００６】
本発明は上記課題に鑑みてなされたもので、その目的の一つは、通信資源の効率的利用を可能にする基地局装置、周波数キャリア割当制御方法、及びプログラムを提供することにある。
【課題を解決するための手段】
【０００７】
上記課題を解決するための本発明に係る基地局装置は、複数の移動局装置に、複数の周波数キャリアのうちのいずれか少なくとも１つを割り当てることにより、各移動局装置と、該移動局装置に割り当てられた周波数キャリアを使用して通信可能に構成される基地局装置において、前記各移動局装置について、周波数キャリアごとの通信データ量を示す通信データ評価値を算出する算出手段と、前記各周波数キャリアそれぞれについての前記通信データ評価値の合計に基づき、前記各移動局装置に割り当てる周波数キャリアを制御する周波数キャリア割当制御手段と、を含むことを特徴とする。
【０００８】
本発明によれば、周波数キャリアごとの通信データ量に応じて移動局装置に対する周波数キャリアの割り当てを変更することができる。このため、各周波数キャリアにおける通信データ量を平準化することができ、通信資源の効率的利用が可能になる。
【０００９】
また、上記基地局装置において、前記通信データ評価値は、通信データ量の所定時間ごとの累計に基づく値である、こととしてもよい。
【００１０】
データ通信では、ＦＴＰ(File Transfer Protocol)やＨＴＴＰ(HyperText Transfer Protocol)のような通信方式ごとに、通信データ量の変化の推移に特徴がある。例えば、ＦＴＰでは、ファイルのダウンロードを行う際に通信データ量が一気に増大し、ダウンロードが終了すると通信データ量が急減する。つまり、通信データ量の所定時間ごとの累計が、ファイルのダウンロード時に急増する。一方、ＨＴＴＰでは、ダウンロード量の所定時間ごとの累計はほぼ一定となる。
【００１１】
このように、データ通信では通信データ量の所定時間ごとの累計によって通信方式を特徴付けることができる。本発明によれば、通信データ量の所定時間ごとの累計に基づく値である通信データ評価値について、前記各周波数キャリアそれぞれについての合計が互いに等しくなるよう、前記各移動局装置に割り当てる周波数キャリアを制御することができるので、各周波数キャリアにおける通信データ量を、通信方式を反映させた基準で平準化することができ、通信資源のより効率的な利用が可能になる。
【００１２】
また、上記基地局装置において、前記周波数キャリア割当制御手段は、前記各周波数キャリアそれぞれについての前記通信データ評価値の合計の差が小さくなるよう、前記各移動局装置に割り当てる周波数キャリアを制御する、こととしてもよい。
【００１３】
このようにすることにより、確実に各周波数キャリアにおける通信データ量を平準化することができる。
【００１４】
また、上記基地局装置において、前記算出手段により算出された通信データ評価値に基づき、前記各移動局装置をランク付けするランク付け手段、をさらに含み、前記周波数キャリア割当制御手段は、前記各移動局装置にそれぞれ付けられたランクに基づき、該各移動局装置に割り当てる周波数キャリアを制御する、こととしてもよい。
【００１５】
さらに、前記周波数キャリア割当制御手段は、前記各移動局装置のうち、前記ランク付け手段によって付けられたランクの高い順に、優先的に周波数キャリアを割り当てるよう、前記各移動局装置に割り当てる周波数キャリアを制御する、こととしてもよい。
【００１６】
また、前記ランク付け手段は、ランク付けした移動局装置であって、所定時間にわたり通信データ量のない移動局装置について、ランク付けを削除する、こととしてもよい。
【００１７】
また、本発明に係る周波数キャリア割当制御方法は、複数の移動局装置に、複数の周波数キャリアのうちのいずれか少なくとも１つを割り当てることにより、各周波数キャリアを使用して各移動局装置と通信可能に構成される基地局装置において、各移動局装置に割り当てる周波数キャリアを制御するための周波数キャリア割当制御方法であって、前記各移動局装置について、周波数キャリアごとの通信データ量を示す通信データ評価値を算出する算出ステップと、前記各周波数キャリアそれぞれについての前記通信データ評価値の合計に基づき、前記各移動局装置に割り当てる周波数キャリアを制御する周波数キャリア割当制御ステップと、を含むことを特徴とする。
【００１８】
また、本発明に係るプログラムは、複数の移動局装置に、複数の周波数キャリアのうちのいずれか少なくとも１つを割り当てることにより、各周波数キャリアを使用して各移動局装置と通信可能に構成される基地局装置において使用されるプログラムであって、前記各移動局装置について、周波数キャリアごとの通信データ量を示す通信データ評価値を算出する算出手段、及び前記各周波数キャリアそれぞれについての前記通信データ評価値の合計に基づき、前記各移動局装置に割り当てる周波数キャリアを制御する周波数キャリア割当制御手段、としてコンピュータを機能させることを特徴とする。
【発明を実施するための最良の形態】
【００１９】
本発明の実施の形態について、図面を参照しながら説明する。
【００２０】
図１は、本実施の形態に係る移動体通信システム１の構成図である。同図に示すように、本実施の形態に係る移動体通信システム１は基地局装置１０、通信装置２０、移動局装置３０、通信ネットワーク４０を含んで構成されている。そして、通信装置２０と移動局装置３０とは、基地局装置１０及び通信ネットワーク４０を経由する通信を行う。
【００２１】
基地局装置１０は、図２に示すように、制御部１１と、記憶部１２と、無線通信部１３と、ネットワークインターフェイス部１４と、を含んで構成されている。
【００２２】
制御部１１は、基地局装置１０の各部を制御し、通話、データ通信、又はパケット通信に関わる処理を実行している。また、後述する周波数キャリア割当制御処理も実行する。
【００２３】
記憶部１２は、制御部１１のワークメモリとして動作する。また、この記憶部１２は、制御部１１によって行われる各種処理に関わるプログラムやパラメータを保持している。さらに、記憶部１２は、後述するコストテーブルも記憶している。
【００２４】
無線通信部１３は、空中線を備え、移動局装置３０からの音声信号や通信用パケット等をそれぞれ受信して復調し、制御部１１に出力したり、制御部１１から入力される指示に従って、制御部１１から入力される音声信号や通信用パケット等を変調して空中線を介して出力したり、といった処理を行う。
【００２５】
この無線通信部１３は、複数の周波数キャリアのうち、いずれか少なくとも１つを使用して各移動局装置３０との通信を行う。
【００２６】
具体的には、周波数キャリア割当制御処理により各移動局装置３０に周波数キャリアが割り当てられる。そして、基地局装置１０と各移動局装置３０とは、割り当てられた周波数キャリアを使用して通信を行う。また、各周波数キャリアは複数の通信チャネルに分割して使用される。ここでの通信チャネルは、例えば時分割多重におけるタイムスロットのように、同時に１つの移動局装置３０の通信を行うために使用されるものである。つまり、各周波数キャリアは、複数の移動局装置３０によって時分割により共用される。
【００２７】
ネットワークインターフェイス部１４は、通信ネットワーク４０と接続されており、通信ネットワーク４０に接続する通信装置２０からの音声信号や通信用パケット等を受信して制御部１１に出力したり、制御部１１の指示に従って音声信号や通信用パケット等を、通信ネットワーク４０を介して通信装置２０に対して送信したりする。
【００２８】
本実施の形態では、基地局装置１０は各移動局装置３０について、その周波数キャリアごとの通信データ量の所定時間ごとの累計に基づく値である通信データ評価値（以下、コストという）を算出する。そして、周波数キャリア割当制御処理では、このコストを周波数キャリアごとに合計し、各周波数キャリア間における合計の差ができるだけ小さくなるよう、各移動局装置３０に対する周波数キャリア割当を制御する。
【００２９】
また、実際に各移動局装置３０に対する周波数キャリア割当を制御するにあたっては、各移動局装置３０をコストに基づいてランク付けし、その結果に基づいて各移動局装置３０に対する周波数キャリア割当を制御するようにしている。以下、これらの処理を実現するための構成及び処理について、具体的に説明する。
【００３０】
図３は、本実施の形態にかかる基地局装置１０の機能ブロックを示す機能ブロック図である。同図に示すように、基地局装置１０は、機能的には、第１通信データ取得部６１、無線処理部６２、第２通信データ取得部６３、周波数キャリア割当部６４、ＲＩＤ検出部６５、コスト算出部６６、順位テーブル記憶部６７、を含んで構成される。なお、ＲＩＤ検出部６５、コスト算出部６６は制御部１１によって、第１通信データ取得部６１、第２通信データ取得部６３、及び周波数キャリア割当部６４は制御部１１及び無線通信部１３によって、無線処理部６２は無線通信部１３によって、順位テーブル記憶部６７は記憶部１２によって、それぞれ実現される。
【００３１】
基地局装置１０は、移動局装置３０から無線送信された通信データその他のデータを無線処理部６２において受信し、第２通信データ取得部６３においてデータとして取得する。そして、基地局装置１０は、ネットワークインターフェイス部１４を介して通信装置２０に送信する。また、通信装置２０から送信された通信データその他のデータをネットワークインターフェイス部１４において受信し、第１通信データ取得部６１においてデータとして取得する。そして、無線処理部６２において無線信号に変換し、移動局装置３０に無線送信する。
【００３２】
周波数キャリア割当部６４は、移動局装置３０との通信を開始するにあたり、移動局装置３０に対し周波数キャリアを割り当てる周波数キャリア割当制御処理を行う。
【００３３】
周波数キャリア割当制御処理について具体的に説明する。例えば移動局装置３０が通信を開始しようとする場合には、第１通信データ取得部６１は無線処理部６２を介して、移動局装置３０からの通信開始要求を受信する。周波数キャリア割当部６４は該通信開始要求に応じて１又は複数の周波数キャリアを選択し、移動局装置３０に通知することによって、該移動局装置３０に周波数キャリアを割り当てる。
【００３４】
また、例えば通信装置２０が通信を開始しようとする場合には、第２通信データ取得部６３はネットワークインターフェイス部１４を介して、通信装置２０からの通信開始要求を受信する。この通信開始要求は通信先となる移動局装置３０を示すＲＩＤ(Registration IDentify，移動局装置登録識別情報)を含んでおり、第２通信データ取得部６３は、このＲＩＤを取得する。そして、ＲＩＤを周波数キャリア割当部６４に出力し、周波数キャリア割当部６４は１又は複数の周波数キャリアを選択し、該ＲＩＤにより示される移動局装置３０に通知することによって、該移動局装置３０に周波数キャリアを割り当てる。
【００３５】
このようにして周波数キャリアを割り当てられた移動局装置３０は、通知された周波数キャリアを使用して、通信装置２０との通信を開始する。
【００３６】
なお、周波数キャリア割当制御処理は通信中にも適宜実行される。具体的には、所定の条件が整った場合、周波数キャリア割当部６４は移動局装置３０について１又は複数の周波数キャリアを選択し、該移動局装置３０に通知することによって、該移動局装置３０に周波数キャリアを再度割り当てる。このようにして周波数キャリアを再度割り当てられた移動局装置３０は、それまで使用していた周波数キャリアに代えて通知された周波数キャリアを使用して、通信装置２０との通信を開始する。
【００３７】
周波数キャリアを割り当てた場合、周波数キャリア割当部６４は、周波数キャリアを割り当てた移動局装置３０を示すＲＩＤと、割り当てた周波数キャリアと、を対応付けて順位テーブル記憶部６７に記憶されるコストテーブルに書き込む。図４は、このコストテーブルの例である。同図に示すように、コストテーブルは各周波数キャリアについてＲＩＤを記憶している。このＲＩＤは、順位付けて記憶される。周波数キャリア割当部６４は、コストテーブルにＲＩＤを書き込む際、割り当てた周波数キャリアにおいて記憶されるＲＩＤの中で最も順位が低いものより、さらに１つ順位が低いところに、該ＲＩＤを書き込む。
【００３８】
ＲＩＤ検出部６５は、第１通信データ取得部６１又は第２通信データ取得部６３によって取得される通信データに含まれるＲＩＤを取得する。そして、ＲＩＤごとの通信データ量を所定時間ごとに累算し、コスト算出部６６に出力する。なお、所定時間ごとの累算を、さらに単位時間で除算することにより移動平均としてもよい。また、通信データ量としては、実際に送受信される通信データのバイト数としてもよいし、ダウンロード（若しくはアップロード）の単位である単位データ（テキストファイルや画像など）についてのダウンロード（若しくはアップロード）開始要求を示すデータ通信開始要求の数を用いてもよいし、データ通信において実際にデータの送受信を行っている時間を用いてもよい。
【００３９】
コスト算出部６６は、ＲＩＤ検出部６５から出力された通信データ量から、各ＲＩＤについてのコストを算出する。具体的には、通信データ量を所定量ごとの区分に区切り、それぞれにコストを割り当てることにより、各ＲＩＤについての通信データ量が属する区分のコストを該各ＲＩＤのコストとすることが好適である。
【００４０】
そして、コスト算出部６６は、ＲＩＤに対応付けて、そのコストをコストテーブルに書き込む。図４には、その例が示されている。同図に示すように、コストテーブルでは、各ＲＩＤがＣＯＳＴ（コスト）と対応付けて記憶されている。なお、コスト算出部６６は、コストテーブルに書き込む際、周波数キャリアごとにコストの降順にＲＩＤを並び替える。つまり、コストの降順にＲＩＤをランク付けし、そのランク順に並び替える。
【００４１】
再度、周波数キャリア割当部６４の説明に戻る。周波数キャリア割当部６４は、周波数キャリア割当制御処理において、上述したように所定の条件が整った場合に、移動局装置３０について１又は複数の周波数キャリアを選択し、該移動局装置３０に該周波数キャリアを再度割り当てる処理を行う。
【００４２】
本実施の形態では、通信データ量の所定時間ごとの累計が、周波数キャリア間において所定閾値以上異なる状態となったことを上記所定の条件とする。そこで、周波数キャリア割当部６４は、定期的に、コストテーブルに記憶されるコストの周波数キャリアごとの合計を算出する処理と、その差が所定閾値以上となっているか否かを判定する処理と、を行う。そして、コストの周波数キャリアごとの合計の差が所定閾値となっていると判定した場合、周波数キャリア割当部６４は、各周波数キャリアそれぞれについてのコストの合計の差が小さくなるよう、各移動局装置３０に割り当てる周波数キャリアを制御する。
【００４３】
このような周波数キャリア割当制御処理について、図面を参照しながら具体的に説明する。図５は図４で示されるコストテーブルのように周波数キャリアが割り当てられている基地局装置１０において、このような周波数キャリア割当制御処理を行った後のコストテーブルである。
【００４４】
図４に示すコストテーブルでは、周波数キャリア１におけるコストの合計は９、周波数キャリア２におけるコストの合計は１２、周波数キャリア３におけるコストの合計は１７、と周波数キャリア間においてコストの合計に差がある。周波数キャリア割当部６４は、この差を小さくし、できるだけ差を０に近づけるよう、各移動局装置３０に割り当てる周波数キャリアを制御する。このような制御によって図５に示すコストテーブルに示されるように周波数キャリア割当を変更することにより、周波数キャリア１におけるコストの合計は１２、周波数キャリア２におけるコストの合計は１３、周波数キャリア３におけるコストの合計は１３、と周波数キャリア間におけるコストの合計は、制御前に比べて小さくなっている。
【００４５】
以上説明した周波数キャリア割当制御処理及び周波数キャリア割当制御処理の中で行われるコスト算出処理について、基地局装置１０の処理を示すフロー図を参照しながら、再度より詳細に説明する。
【００４６】
図６は、基地局装置１０におけるコスト算出処理のフロー図である。このコスト算出処理は定期的に行われる処理であり、以下において前コスト値とは、１回前のコスト算出処理において算出されたコストの値を示す。また、現コスト値とは、今回のコスト算出処理において算出されるコストの値を示す。
【００４７】
図６に示すように、まず基地局装置１０は、各ＲＩＤについての通信データ量の移動平均を算出する（Ｓ１００）。そして、算出した移動平均と所定の閾値Ｓとを比較し（Ｓ１０２）、移動平均が閾値Ｓ以上あれば、前コスト値に１を加算して得られる値を現コスト値として決定する（Ｓ１０４，Ｓ１１４）。
【００４８】
一方、移動平均が閾値Ｓを下回っていれば、変数「連続フレームカウンタ（ＦＣ）」を１インクリメントする（Ｓ１０６）。そして、ＦＣが所定数Ｎに達しているか否かを判定し（Ｓ１０８）、ＦＣが所定数Ｎに達していなければ、前コスト値から１を減算して得られる値を現コスト値として決定する（Ｓ１１０，Ｓ１１４）。なお、このときＦＣに０を代入することが好適である。一方、ＦＣが所定数Ｎに達していれば、前コスト値を０とし、現コスト値として決定する（Ｓ１１２，Ｓ１１４）。
【００４９】
このようにすることにより、閾値Ｓを上回っているか否かに応じてコストを増減させることができる。また、閾値Ｓを上回った状態が連続すればするほどコストが大きくなるようにしているので、ＦＴＰのように通信データ量が大きい状態が所定時間連続する場合、この間コストは急増するが、通信データがなくなるとコストは急減する。一方、ＨＴＴＰのように通信データ量が閾値Ｓを上回ったり下回ったりしながら継続的に通信データが送受信されるような場合、コストはそれほど増加しない。このため、コストを使用することで、ＦＴＰ及びＨＴＴＰのような通信方式を反映させた基準で、周波数キャリア割当を行うことができる。
【００５０】
また、閾値Ｓを下回る状態がＮ回以上続いた場合にコストを０にすることで、コストテーブルにおいてランク付けした移動局装置３０であっても、所定時間にわたり通信データ量のない移動局装置３０についてはランク付けを削除する、こととしている。つまり、コストが０である移動局装置３０については、コストが０となった時点から計時を開始し、所定時間が経過した場合、コストテーブルから削除することとしている。このようにすることにより、コストテーブルを、より効率的に利用することができるようになる。
【００５１】
次に、図７は、基地局装置１０における周波数キャリア割当制御処理のフロー図である。まず基地局装置１０は、上記コスト算出処理において算出されたコストに基づいて各移動局装置３０をランク付けし、コストテーブルを作成する（Ｓ２００）。そして、コストテーブルに記憶される移動局装置３０に優先ユーザが含まれるか否かを判定する（Ｓ２０２）。ここでの優先ユーザとは、コストが所定の閾値より高い移動局装置３０又はランクが所定値以上である移動局装置３０を指し、より通信速度の高い環境で通信を行わせることが望ましい移動局装置３０である。
【００５２】
優先ユーザが含まれないと判定した場合には、特段の処理を行わず処理を終了する（Ｓ２１２）。一方、優先ユーザが含まれると判定した場合には、上述した周波数キャリア割当制御処理を行う。すなわち、まず周波数キャリアごとのコストの総計を算出する（Ｓ２０４）。そして、全周波数キャリアのコスト総計の平均値を算出し（Ｓ２０６）、周波数キャリア間で格差があるか否かを判定する（Ｓ２０８）。格差がなければ、特段の処理を行わず処理を終了する（Ｓ２１２）。一方、格差があれば、格差をなくすよう、移動局装置３０に対する周波数キャリア割当を変更する（Ｓ２１０）。この処理を、Ｓ２０８において周波数キャリア間で格差がないと判定されるまで繰り返し行う。
【００５３】
以上説明したように、本実施の形態では、周波数キャリアごとの通信データ量に応じて移動局装置に対する周波数キャリアの割り当てを変更することができる。このため、各周波数キャリアにおける通信データ量を平準化することができ、通信資源の効率的利用が可能になる。
【００５４】
また、データ通信では、ＦＴＰ(File Transfer Protocol)やＨＴＴＰ(HyperText Transfer Protocol)のような通信方式ごとに、通信データ量の変化の推移に特徴がある。例えば、ＦＴＰでは、ファイルのダウンロードを行う際に通信データ量が一気に増大し、ダウンロードが終了すると通信データ量が急減する。つまり、通信データ量の所定時間ごとの累計が、ファイルのダウンロード時に急増する。一方、ＨＴＴＰでは、ダウンロード量の所定時間ごとの累計はほぼ一定となる。
【００５５】
このように、データ通信では通信データ量の所定時間ごとの累計によって通信方式を特徴付けることができる。本実施の形態では、通信データ量の所定時間ごとの累計に基づく値である通信データ評価値について、前記各周波数キャリアそれぞれについての合計が互いに等しくなるよう、前記各移動局装置に割り当てる周波数キャリアを制御するようにしているので、各周波数キャリアにおける通信データ量を、通信方式を反映させた基準で平準化することができ、通信資源のより効率的な利用が可能になる。
【００５６】
なお、周波数キャリア割当部６４は、コストテーブルにおけるランクに基づき、移動局装置３０に割り当てる周波数キャリアを制御することとしてもよい。具体的には、各移動局装置３０のうち、コストテーブルにおけるランク付けの高い順に、優先的に周波数キャリアを割り当てるよう、各移動局装置３０に割り当てる周波数キャリアを制御する、こととしてもよい。すなわち、ランク付けの高い移動局装置３０は通信データ量が多いのであるから、周波数キャリアに余裕がある（所定閾値以上の使用されていない周波数キャリアがある）場合に、使用されていない周波数キャリアをコストテーブルにおけるランク付けの高い順に移動局装置３０に割り当てることとすれば、周波数キャリアの有効活用が図れる。このため、より効率的に無線資源を利用して通信を行うことができる。
【図面の簡単な説明】
【００５７】
【図１】本発明の実施の形態に係る移動体通信システムの構成図である。
【図２】本発明の実施の形態に係る基地局装置のシステム構成図である。
【図３】本発明の実施の形態に係る基地局装置の機能ブロック図である。
【図４】本発明の実施の形態に係るコストテーブルである。
【図５】本発明の実施の形態に係るコストテーブルである。
【図６】本発明の実施の形態に係る基地局装置の処理のフロー図である。
【図７】本発明の実施の形態に係る基地局装置の処理のフロー図である。
【符号の説明】
【００５８】
１  移動体通信システム、１０  基地局装置、１１  制御部、１２  記憶部、１３  無線通信部、１４  ネットワークインターフェイス部、２０  通信装置、３０  移動局装置、４０  通信ネットワーク、６１  第１通信データ取得部、６２  無線処理部、６３  第２通信データ取得部、６４  周波数キャリア割当部、６５  ＲＩＤ検出部、６６  コスト算出部、６７  順位テーブル記憶部。
【図１】
2006333008.tif 000003
【図２】
2006333008.tif 000004
【図３】
2006333008.tif 000005
【図４】
2006333008.tif 000006
【図５】
2006333008.tif 000007
【図６】
2006333008.tif 000008
【図７】
2006333008.tif 000009